(57)【要約】      （修正有）【課題】１台の装置によって部品等の洗浄と乾燥とを連続処理することのできる洗浄乾燥装置を提供する。【解決手段】排液槽内に、中空の回転軸１６ａ、１６ｂによって回転自在に支持された揺動ボックスを設ける。揺動ボックスは、揺動機構部によって揺動運動させられる。揺動ボックスには、被洗浄乾燥物１８を入れた容器１９を納めるための洗浄槽２４を設けてあり、洗浄槽２４の両端壁部及び底部には互いに連通した空間が形成されている。回転軸１６ａは一方の壁部内の空間と連通していて、回転軸１６ａから空間内に洗浄液を注入可能となっている。回転軸１６ｂは他方の壁部内の空間と連通していて、空間内の空気をブロアで吸引可能となっている。洗浄槽２４の底面には前記空間と洗浄槽２４に載置された容器の内部とを連通されるための底面開口６５が開口している。また、排液槽内の空気を加熱するための空気加熱器を備えている。【選択図】図１２
0003151150.tif 000002
【実用新案登録請求の範囲】
【請求項１】
少なくとも底面が洗浄液を通過させるように構成された、被洗浄乾燥物を収容するための容器と、
排液槽内に揺動又は回転自在に設置された、前記容器を保持するための容器保持体と、
前記容器保持体を揺動させるための揺動機構部とを備え、
前記容器保持体は、前記容器を載置するための載置面の下に底部空間を形成されるとともに、前記載置面に載置された容器の内部と前記底部空間とを連通させるための底面開口を前記載置面に形成され、
さらに、前記底部空間の内部に洗浄液を供給するための給液手段と、
前記底部空間内の洗浄液を前記排液槽へ排出する洗浄液排出手段と、
前記容器内の被洗浄乾燥物を乾燥させるための乾燥手段と、
を備えた洗浄乾燥装置。
【請求項２】
前記洗浄液排出手段は、前記容器保持体の前記底部空間の下面に形成された、洗浄液を漏出させるための孔であることを特徴とする、請求項１に記載の洗浄乾燥装置。
【請求項３】
前記揺動機構部は、モータの回転力を前記容器保持体の揺動運動に変換するためのリンク機構を利用したものであることを特徴とする、請求項１または２に記載の洗浄乾燥装置。
【請求項４】
前記揺動機構部は、前記給液手段によって前記底部空間に洗浄液を供給し、前記底部空間に供給された洗浄液を前記底面開口を通して前記載置面に載置された容器内へ下面から注入して容器の上面から洗浄液を溢れさせ続けた状態で、前記容器保持体を揺動させることを特徴とする、請求項１ないし３のいずれか１項に記載の洗浄乾燥装置。
【請求項５】
前記乾燥手段は、空気を強制的に吸引するブロアを備え、前記ブロアによって前記底部空間内の空気を吸引することで前記容器保持体に載置された容器内の被洗浄乾燥物に付着した洗浄液を引き抜くことにより、被洗浄乾燥物を吸引乾燥させるものであることを特徴とする請求項１ないし４のいずれか１項に記載の洗浄乾燥装置。
【請求項６】
前記乾燥手段は、前記排液槽内の空気を加熱するための空気加熱器であることを特徴とする、請求項１ないし４のいずれか１項に記載の洗浄乾燥装置。
【請求項７】
前記乾燥手段は、前記排液槽内の空気を加熱するための空気加熱器と、前記底部空間内の空気を強制的に吸引するブロアとを有することを特徴とする、請求項１ないし４のいずれか１項に記載の洗浄乾燥装置。
【請求項８】
前記容器保持体は、容器を納めて載置することのできる洗浄槽を有するとともに、前記洗浄槽の両端壁部に前記底部空間と連通した壁部空間を有し、
前記容器保持体は、前記両端壁部に接続された一対の回転軸によって回転又は揺動自在に支持されており、
前記回転軸のうち少なくとも一方の回転軸は中空筒状に形成され、中空筒状に形成されたいずれか一方の回転軸の中空内部は前記容器保持体の前記壁部空間と連通していて、当該回転軸を通じて前記底部空間内の空気を吸引可能となっていることを特徴とする請求項５または７に記載の洗浄乾燥装置。
【請求項９】
前記容器保持体は、容器を納めて載置することのできる洗浄槽を有するとともに、前記洗浄槽の両端壁部に前記底部空間と連通した壁部空間を有し、
前記容器保持体は、前記両端壁部に接続された一対の回転軸によって回転又は揺動自在に支持されており、
前記回転軸のうち少なくとも一方の回転軸は中空筒状に形成され、中空筒状に形成されたいずれか一方の回転軸の中空内部は前記容器保持体の前記壁部空間と連通していて、当該回転軸を通じて前記底部空間に洗浄液を供給可能となっていることを特徴とする請求項１ないし７のいずれか１項に記載の洗浄乾燥装置。
【請求項１０】
前記給液手段は、洗浄液を溜めた洗浄液タンクと前記回転軸とを結ぶ給液配管と、前記給液配管に設けられた給液ポンプとを備えていることを特徴とする、請求項９に記載の洗浄乾燥装置。
【請求項１１】
異なる洗浄液を供給することのできる複数の給液手段を備え、前記回転軸に供給する洗浄液を選択的に切り替え可能となっていることを特徴とする、請求項１０に記載の洗浄乾燥装置。
【請求項１２】
前記排液槽の底部に設けられた排液口と前記洗浄液タンクとの間を結ぶ回収配管と、前記回収配管に設けた開閉バルブとを備えていることを特徴とする、請求項１０または１１に記載の洗浄乾燥装置。
【考案の詳細な説明】
【技術分野】
【０００１】
本考案は洗浄乾燥装置に関し、具体的には被洗浄乾燥物、例えば微小な電子部品や機械部品等を洗浄し、ついで乾燥処理するための洗浄乾燥装置に関するものである。
【背景技術】
【０００２】
電子部品等の製造工程や各種部品のメッキ処理工程などにおいては、一連の処理ライン中に洗浄工程や乾燥工程が設けられている。従来においては、このような処理ラインでは、洗浄工程と乾燥工程はまったく別々の工程となっていた。すなわち、洗浄工程は１台又は複数台の洗浄装置によって構成され、乾燥工程は１台又は複数台の乾燥装置によって構成されていた。例えば、特許文献１に開示されている吸引乾燥装置は、部品等を乾燥させるための乾燥専用装置となっており、部品等を洗浄する機能を有していなかった。
【０００３】
したがって、このようなラインでは、洗浄工程に設置された洗浄装置内に多数の部品を収容した容器を納めて洗浄装置で洗浄した後、洗浄された部品を容器ごと洗浄装置から取り出して乾燥装置へ運び、部品を収容した容器を乾燥装置内に納めて乾燥処理しなければならなかった。そのため、部品を収容した重い容器を人手によって洗浄装置から乾燥装置へ運ばなければならず、過重な労力が必要になると共に時間的な面でもロスが大きかった。
【０００４】
また、洗浄装置と乾燥装置とが別々に必要となるので、装置コストが高くつくとともに、装置の設置スペースも大きくなるという問題があった。
【先行技術文献】
【特許文献】
【０００５】
【特許文献１】特開２００８−２９２０４１号公報
【考案の概要】
【考案が解決しようとする課題】
【０００６】
本考案は、このような技術的課題に鑑みてなされたものであって、その目的とするところは、１台の装置によって部品等の洗浄と乾燥とを連続処理することのできる洗浄乾燥装置を提供することにある。
【課題を解決するための手段】
【０００７】
このような目的を達成するため、本考案の請求項１にかかる洗浄乾燥装置は、少なくとも底面が洗浄液を通過させるように構成された、被洗浄乾燥物を収容するための容器と、排液槽内に揺動又は回転自在に設置された、前記容器を保持するための容器保持体と、前記容器保持体を揺動させるための揺動機構部とを備え、前記容器保持体は、前記容器を載置するための載置面の下に底部空間を形成されるとともに、前記載置面に載置された容器の内部と前記底部空間とを連通させるための底面開口を前記載置面に形成され、さらに、前記底部空間の内部に洗浄液を供給するための給液手段と、前記底部空間内の洗浄液を前記排液槽へ排出する洗浄液排出手段と、前記容器内の被洗浄乾燥物を乾燥させるための乾燥手段とを備えたことを特徴としている。
【０００８】
本考案の洗浄乾燥装置においては、給液手段によって容器保持体の底部空間に洗浄液を供給すると、底部空間に供給された洗浄液は底面開口を通って容器内に浸入し、容器内の被洗浄乾燥物を洗浄液に浸す。この状態で、揺動機構を駆動して容器保持体とともに容器を揺動させることにより、洗浄液で被洗浄乾燥物を洗浄することができる。被洗浄乾燥物の洗浄が終了したら、容器内の洗浄液を底部空間へ排出し、さらに洗浄液排出手段によって底部空間内の洗浄液を排液槽へ排出する。この後、乾燥手段の被洗浄乾燥物を乾燥手段によって乾燥させる。
【０００９】
本考案にかかる洗浄乾燥装置にあっては、上記のようにして１台の洗浄乾燥装置で被洗浄乾燥物の洗浄と乾燥を連続処理することができるので、従来のように洗浄装置と乾燥装置の２台の装置を必要としていたものを１台の洗浄乾燥装置で置き換えることができ、装置の設置スペースを小さくできるとともに装置コストも安価にすることができる。また、従来のように洗浄装置で被洗浄乾燥物を洗浄した後、被洗浄乾燥物の入った容器を乾燥装置へ運ぶ必要がないので、容器を運ぶ労力が必要なく、時間的なロスも省くことができ、効率的に被洗浄乾燥物の洗浄と乾燥を行うことができる。
【００１０】
さらに、被洗浄乾燥物の洗浄時には、揺動機構部によって容器保持体と容器を揺り動かすことができるので、洗浄液を容器内で流動させて被洗浄乾燥物を濯ぐことができ、被洗浄乾燥物の表面に付着したり被洗浄乾燥物間の隙間に入り込んだりしているゴミや汚れなどを遊離させて効果的に洗浄を行うことができる。
【００１１】
本考案の請求項２にかかる洗浄乾燥装置は、請求項１に記載の洗浄乾燥装置において、前記洗浄液排出手段が、前記容器保持体の前記底部空間の下面に形成された、洗浄液を漏出させるための孔であることを特徴とするものである。かかる実施態様によれば、底部空間内の洗浄液を簡単な構造によって排液槽へ排出させることができる。
【００１２】
本考案の請求項３にかかる洗浄乾燥装置は、請求項１または２に記載の洗浄乾燥装置において、前記揺動機構部が、モータの回転力を前記容器保持体の揺動運動に変換するためのリンク機構を利用したものであることを特徴とするものである。かかる実施態様によれば、揺動機構部を簡単な機構で実現することができる。
【００１３】
本考案の請求項４にかかる洗浄乾燥装置は、請求項１ないし３のいずれか１項に記載の洗浄乾燥装置において、前記揺動機構部が、前記給液手段によって前記底部空間に洗浄液を供給し、前記底部空間に供給された洗浄液を前記底面開口を通して前記載置面に載置された容器内へ下面から注入して容器の上面から洗浄液を溢れさせ続けた状態で、前記容器保持体を揺動させることを特徴としている。かかる実施態様によれば、容器から洗浄液を溢れさせ続けた状態で容器保持体とともに容器を揺動させて被洗浄乾燥物の洗浄を行うことができるので、容器内の洗浄液を新しい洗浄液と交換しながら洗浄を行うことができ、被洗浄乾燥物の洗浄効果を高めることができる。
【００１４】
本考案の請求項５にかかる洗浄乾燥装置は、請求項１ないし４のいずれか１項に記載の洗浄乾燥装置において、前記乾燥手段が、空気を強制的に吸引するブロアを備え、前記ブロアによって前記底部空間内の空気を吸引することで前記容器保持体に載置された容器内の被洗浄乾燥物に付着した洗浄液を引き抜くことにより、被洗浄乾燥物を吸引乾燥させるものであることを特徴としている。かかる実施態様によれば、洗浄後の被洗浄乾燥物の表面に付着している洗浄液や被洗浄乾燥物間の隙間に保持されている洗浄液を引き抜いて吸引乾燥させることができる。
【００１５】
本考案の請求項６にかかる洗浄乾燥装置は、請求項１ないし４のいずれか１項に記載の洗浄乾燥装置において、前記乾燥手段が、前記排液槽内の空気を加熱するための空気加熱器であることを特徴としている。かかる実施態様によれば、排液槽内の空気を加熱して容器内の洗浄後の被洗浄乾燥物を加熱乾燥させることができる。
【００１６】
本考案の請求項７にかかる洗浄乾燥装置は、請求項１ないし４のいずれか１項に記載の洗浄乾燥装置において、前記乾燥手段が、前記排液槽内の空気を加熱するための空気加熱器と、前記底部空間内の空気を強制的に吸引するブロアとを有することを特徴としている。かかる実施態様によれば、空気加熱器で加熱された空気を強制的に容器内を通過させることができ、容器内の被洗浄乾燥物を温風乾燥させることができる。
【００１７】
本考案の請求項８にかかる洗浄乾燥装置は、請求項５または７に記載の洗浄乾燥装置において、前記容器保持体が、容器を納めて載置することのできる洗浄槽を有するとともに、前記洗浄槽の両端壁部に前記底部空間と連通した壁部空間を有し、前記容器保持体が、前記両端壁部に接続された一対の回転軸によって回転又は揺動自在に支持されており、前記回転軸のうち少なくとも一方の回転軸は中空筒状に形成され、中空筒状に形成されたいずれか一方の回転軸の中空内部は前記容器保持体の前記壁部空間と連通していて、当該回転軸を通じて前記底部空間内の空気を吸引可能となっていることを特徴とするものである。かかる実施態様によれば、容器保持体を支持するための回転軸を利用して底部空間内の空気を吸引可能としているので、ブロアにより底部空間内の空気を吸引するための構造を簡単にすることができ、洗浄乾燥装置を小型化することができる。
【００１８】
本考案の請求項９にかかる洗浄乾燥装置は、請求項１ないし７のいずれか１項に記載の洗浄乾燥装置において、前記容器保持体が、容器を納めて載置することのできる洗浄槽を有するとともに、前記洗浄槽の両端壁部に前記底部空間と連通した壁部空間を有し、前記容器保持体が、前記両端壁部に接続された一対の回転軸によって回転又は揺動自在に支持されており、前記回転軸のうち少なくとも一方の回転軸は中空筒状に形成され、中空筒状に形成されたいずれか一方の回転軸の中空内部は前記容器保持体の前記壁部空間と連通していて、当該回転軸を通じて前記底部空間に洗浄液を供給可能となっていることを特徴とするものである。かかる実施態様によれば、容器保持体を支持するための回転軸を利用して底部空間内に洗浄液を供給可能としているので、給液手段の構造を簡単にすることができ、洗浄乾燥装置を小型化することができる。
【００１９】
本考案の請求項１０にかかる洗浄乾燥装置は、請求項９に記載の洗浄乾燥装置において、前記給液手段が、洗浄液を溜めた洗浄液タンクと前記回転軸とを結ぶ給液配管と、前記給液配管に設けられた給液ポンプとを備えていることを特徴としている。かかる実施態様によれば、給液ポンプを稼働することによって洗浄液タンク内の洗浄液を底部空間に供給することができる。
【００２０】
本考案の請求項１１にかかる洗浄乾燥装置は、請求項１０に記載の洗浄乾燥装置において、異なる洗浄液を供給することのできる複数の給液手段を備え、前記回転軸に供給する洗浄液を選択的に切り替え可能となっていることを特徴としている。かかる実施態様によれば、複数種類の洗浄液を切り替えて使用することができ、被洗浄乾燥物に応じた洗浄液を用いることができる。
【００２１】
本考案の請求項１２にかかる洗浄乾燥装置は、請求項１０または１１に記載の洗浄乾燥装置において、前記排液槽の底部に設けられた排液口と前記洗浄液タンクとの間を結ぶ回収配管と、前記回収配管に設けた開閉バルブとを備えていることを特徴とするものである。かかる実施態様によれば、排液槽へ排出された洗浄液を排液槽から元の洗浄液タンクへ回収することができるので、洗浄液を繰り返し使用することができる。
【考案の効果】
【００２２】
本考案の洗浄乾燥装置によれば、１台の洗浄乾燥装置で被洗浄乾燥物の洗浄と乾燥を連続処理することができる。その結果、装置の設置スペースを小さくできるとともに装置コストも安価にすることができる。また、被洗浄乾燥物の洗浄及び乾燥を省力化しながら効率よく行うことができる。さらに、被洗浄乾燥物の洗浄時には、被洗浄乾燥物と洗浄液を保持した容器を揺り動かすことによって、被洗浄乾燥物を効率よく洗浄することができる。
【図面の簡単な説明】
【００２３】
【図１】図１は、本考案の実施形態１による洗浄乾燥装置を示す斜視図である。
【図２】図２は、実施形態１の洗浄乾燥装置の平面図である。
【図３】図３は、実施形態１の洗浄乾燥装置の内部を示す断面図である。
【図４】図４は、実施形態１の洗浄乾燥装置に用いられている揺動ボックスと容器を示す斜視図である。
【図５】図５（ａ）は、図４のＸ−Ｘ線に沿った方向における揺動ボックスの断面図である。図５（ｂ）は、容器を納めた状態の、図４のＹ−Ｙ線に沿った方向における揺動ボックスの断面図である。
【図６】図６は、実施形態１の洗浄乾燥装置の給液系統を示す平面図である。
【図７】図７は、同上の給液系統を示す正面側から見た断面図である。
【図８】図８は、実施形態１の洗浄乾燥装置の揺動機構部を示す斜視図である。
【図９】図９（ａ）〜図９（ｄ）は、同上の揺動機構部の動作説明図である。
【図１０】図１０は、実施形態１の洗浄乾燥装置の排液系統および温風発生機を示す正面側から見た断面図である。
【図１１】図１１は、同上の排液系統を示す平面図である。
【図１２】図１２は、揺動ボックス内に洗浄液を貯めて洗浄を行っている状態を示す揺動ボックスの断面図である。
【図１３】図１３は、揺動ボックス内に洗浄液を貯めて洗浄を行っている別な状態を示す揺動ボックスの断面図である。
【図１４】図１４は、揺動ボックス内の洗浄液を排水している状態を示す揺動ボックスの断面図である。
【図１５】図１５は、被洗浄乾燥物を吸引乾燥している状態を示す概略断面図である。
【図１６】図１６は、被洗浄乾燥物を温風乾燥している状態を示す概略断面図である。
【図１７】図１７は、実施形態２による洗浄乾燥装置の給液系統を示す平面図である。
【考案を実施するための形態】
【００２４】
以下、添付図面を参照しながら本考案の実施形態を説明する。なお、以下に示す実施形態は本考案を具体化した実施形態の一例であって、適宜設計変更することができる。
【００２５】
（第１の実施形態）
図１は、本考案の実施形態１による洗浄乾燥装置１０の外観を示す斜視図である。図２は洗浄乾燥装置１０の平面図（蓋１５を取り除いている。）、図３は洗浄乾燥装置１０の内部の構造を示す断面図である。
【００２６】
図３に示すように、洗浄乾燥装置本体１１内には上面開口した排液槽１２が設けられている。排液槽１２の底面には排液口１３が開口しており、そのやや上方には被洗浄乾燥物が排液口１３に落ち込むのを防止するためのネット１４を張っている。また、排液槽１２の上面には開閉自在な蓋１５を備えており、この蓋１５は洗浄乾燥装置本体１１の上面に位置している。
【００２７】
排液槽１２の内部には、一対の回転軸１６ａ、１６ｂによって揺動又は回転自在に支持された揺動ボックス１７（容器保持体）が配設されている。揺動ボックス１７は、図４及び図５（ａ）（ｂ）に示すように上面開口した角箱状をしており、揺動ボックス１７には被洗浄乾燥物を保持した容器１９を着脱自在に納めることのできる洗浄槽２４が形成されている。
【００２８】
容器１９は円筒状容器となっている。図５（ｂ）に示すように、容器１９は、円筒状をしたステンレス製の筒体１９ａに被洗浄乾燥物を支持するための底面を形成したものである。容器１９の底面は、洗浄液を通過可能にするために網体２０によって形成され、さらにその下面には被洗浄乾燥物の重量によって網体２０が破損するのを防ぐために補強用桟２１を組んでいる。また、容器１９の外周面には、水平に突出した一対の取っ手２２を設けている。
【００２９】
図５（ａ）に示すように、揺動ボックス１７の両端壁部及び底部は二重構造となっている。揺動ボックス１７の一端壁部の内部には給水用空間６４ａ（壁部空間）が形成され、他端壁部の内部には吸引乾燥用空間６４ｂ（壁部空間）が形成されており、給水用空間６４ａと吸引乾燥用空間６４ｂは揺動ボックス１７の底部に設けられた底部空間６４ｃを通じて互いに連通している。洗浄槽２４は、給水用空間６４ａ、吸引乾燥用空間６４ｂ、底部空間６４ｃ及び揺動ボックス１７の側壁面６４ｄに囲まれている。
【００３０】
給水用空間６４ａの外壁面には回転軸１６ａの外径と等しい径の通孔２３ａが開口しており、吸引乾燥用空間６４ｂの外壁面には回転軸１６ｂの外径と等しい径の通孔２３ｂが開口している。また、底部空間６４ｃの上面板（容器１９を載置するための載置面であり、洗浄槽２４の底面）には、容器１９の底面内径よりも小さな直径の底面開口６５が開口しており、底部空間６４ｃの下面板の適宜箇所には洗浄液を排出するための漏出孔６６（洗浄液排出手段）が開口している。さらに、洗浄槽２４の底面には、吸水性素材（例えば、連続気泡を有する多孔質のシリコンゴムなど）からなる弾性シート６３を貼り付けてある。
【００３１】
図３に示すように、回転軸１６ａ、１６ｂは中空筒状となっており、排液槽１２の側壁面から互いに同軸状に突出している。排液槽１２内に突出した回転軸１６ａは、揺動ボックス１７の通孔２３ａに挿入され、回転軸１６ｂは通孔２３ｂに挿入されており、揺動ボックス１７は回転軸１６ａ、１６ｂによって揺動又は回転自在に支持されている。その結果、中空の回転軸１６ａは揺動ボックス１７の給水用空間６４ａ内に連通し、中空の回転軸１６ｂは吸引乾燥用空間６４ｂ内に連通している。
【００３２】
容器１９を揺動ボックス１７の洗浄槽２４に納めると、図５（ａ）に示すように、洗浄槽２４内の底面開口６５が容器１９によって覆われ、容器１９の外周部下面が弾性シート６３に弾接することによって容器１９の外周部下面と洗浄槽２４の底面との間の隙間が塞がれる。なお、容器１９を洗浄槽２４内に納めたとき取っ手２２が洗浄槽２４内に入り込まないようにしておけば、容器１９を揺動ボックス１７から取り出す際に取っ手２２を掴み易くなる。
【００３３】
（洗浄のための機構）
まず、洗浄乾燥装置１０における洗浄のための機構から説明する。図６は、洗浄乾燥装置１０の給液系統、すなわち被洗浄乾燥物の洗浄時に洗浄槽２４内へ洗浄液を供給するための給液手段を示す平面図である。図７は、当該給液系統を示す洗浄乾燥装置本体１１の正面側から見た断面図である。この洗浄乾燥装置１０では、洗浄液を溜めた洗浄液タンク２５、２８と、洗浄液を送るための給液ポンプ２６、２９とが洗浄乾燥装置本体１１に対して外付けとなっている。洗浄液タンクと給液ポンプは１台ずつでもよく、それぞれ３台以上であっても差し支えないが、以下においては２台ずつである場合を説明する。給液ポンプ２６、２９は、洗浄乾燥装置本体１１内に内蔵することも可能であるが、洗浄乾燥装置本体１１の外部に設置することで洗浄乾燥装置本体１１をコンパクトにできると共に、設置場所に応じて最適な配置を選択できる。また、洗浄液タンク２５、２８を洗浄乾燥装置本体１１の外部に設置することで、洗浄液の供給や洗浄液タンク２５、２８の清掃を行いやすくなる。
【００３４】
洗浄液タンク２５と洗浄液タンク２８には、異なる種類の洗浄液を溜めている。例えば、洗浄液タンク２５には洗浄水（温水）を溜めておき、洗浄液タンク２８には溶剤系の洗浄液を溜めておく場合などがある。洗浄液タンク２５内には、洗浄液を加熱するための湯洗ヒータ３１と温度センサ（図示せず）を設けてあり、洗浄液タンク２５内の洗浄液をほぼ一定温度に保っている。また、洗浄液タンク２５内に水位センサを設けて洗浄液が所定水位以下となった場合には、報知するようにしてもよい。符号３２は、洗浄液タンク２５内の洗浄液を廃棄するための廃液管である。なお、洗浄液タンク２８にも、必要に応じてヒータ、温度センサ、水位センサ、廃液管を設けてもよい。
【００３５】
洗浄液タンク２５の側面下部と給液ポンプ２６は給液配管２７ａによって接続されており、さらに、一端を給液ポンプ２６に接続された給液配管２７ｂは洗浄乾燥装置本体１１の背面から洗浄乾燥装置本体１１内へ導かれており、洗浄乾燥装置本体１１内に設置された合流管３３の一方の流入端に接続されている。給液配管２７ａは止水バルブ３４ａを備え、給液配管２７ｂはゴミや汚れを除去するためのフィルタ３５、止水バルブ３４ｂ及び電磁開閉バルブ３６を備える。
【００３６】
同様に、洗浄液タンク２８の側面下部と給液ポンプ２９は給液配管３０ａによって接続されており、さらに、一端を給液ポンプ２９に接続された給液配管３０ｂは洗浄乾燥装置本体１１の背面から洗浄乾燥装置本体１１内へ導かれており、洗浄乾燥装置本体１１内に設置された前記合流管３３の他方の流入端に接続されている。給液配管３０ｂは止水バルブ３７ａ、ゴミや汚れを除去するためのフィルタ３８、止水バルブ３７ｂ及び電磁開閉バルブ３９を備える。なお、止水バルブ３４ａ、３４ｂ、３７ａ、３７ｂは常時は開かれている。
【００３７】
前記合流管３３の流出端に接続された給液配管４０は回転軸１６ａに接続されており、回転軸１６ａも給液系統の一部を構成している。すなわち、給液配管４０から送られてきた洗浄液は、回転軸１６ａの内部を通って給水用空間６４ａ内に注入される。なお、給液配管４０と回転軸１６ａは一体に形成されていてもよい。
【００３８】
つぎに、容器１９を揺動させるための揺動機構部４１を説明する。揺動機構部４１は、図７及び図８に示すようなクランク機構と動力伝達部とモータ４８によって構成されている。クランク機構は、回転軸４２に一端を固定された第１クランク棒４３の他端と第２クランク棒４４の一端とをピン４５によって回動自在に結合したものであり、第２クランク棒４４の他端は揺動ボックス１７の外面に設けられたピン４６（図４参照）に連結されている。動力伝達部は、排液槽１２の外部において回転軸４２に固定された従動プーリ４７と、モータ４８の軸に固定された原動プーリ４９と、従動プーリ４７と原動プーリ４９の間に掛け回されたチェーン５０によって構成されている。
【００３９】
しかして、モータ４８を駆動すると、原動プーリ４９、チェーン５０及び従動プーリ４７を介して適度の回転数で回転軸４２が一方向に回転する。その結果、図９（ａ）〜（ｄ）に示すようにクランク機構の働きで揺動ボックス１７が左右に繰り返し揺動する。
【００４０】
図１０は、洗浄乾燥装置１０の排液系統を示す断面図である。図１１は洗浄乾燥装置１０の排液系統を示す概略平面図である。この排液系統について説明する。図１０に示すように、排液槽１２の底面の排液口１３には回収配管５１が接続されており、回収配管５１は、図１１に示すように、回収配管５２ａと回収配管５２ｂに分岐している。回収配管５２ａは洗浄液タンク２５の上部に接続されており、回収配管５２ａは電磁開閉バルブ５３ａを備える。回収配管５２ｂは洗浄液タンク２８に接続されており、回収配管５２ｂは電磁開閉バルブ５３ｂを備える。
【００４１】
したがって、電磁開閉バルブ５３ｂを閉じ、電磁開閉バルブ５３ａを開いてあれば、排液槽１２内に落ちた洗浄液は、回収配管５１、５２ａを通って洗浄液タンク２５内へ回収される。逆に、電磁開閉バルブ５３ａを閉じ、電磁開閉バルブ５３ｂを開いてあれば、排液槽１２内に落ちた洗浄液は、回収配管５１、５２ｂを通って洗浄液タンク２８内へ回収される。
【００４２】
（洗浄動作）
上記のような構造を有する洗浄乾燥装置１０によって被洗浄乾燥物１８を洗浄する動作を説明する。図１２に示すように、被洗浄乾燥物１８を入れた容器１９を揺動ボックス１７の洗浄槽２４内にセットして蓋１５を密閉した後、電磁開閉バルブ３９を閉じたままで電磁開閉バルブ３６だけを開き、給液ポンプ２６を稼働すると、洗浄液タンク２５内の洗浄液αが給液配管２７ａ、２７ｂ、４０を通って回転軸１６ａから揺動ボックス１７の給水用空間６４ａ内に注入され、底部空間６４ｃに溜まっていく。底部空間６４ｃの底面には漏出孔６６が開いているので、洗浄液αの一部は漏出孔６６から排液槽１２内へ漏れるが、回転軸１６ａから供給される洗浄液αの流量が漏出孔６６から漏れる洗浄液αの流量よりも大きいので、揺動ボックス１７内における洗浄液αの水位は次第に上昇する。その結果、底面開口６５を通過して容器１９内に底面から洗浄液αが浸入し、被洗浄乾燥物１８は容器１９内に溜まった洗浄液α内に浸かる。
【００４３】
所定時間が経過して被洗浄乾燥物１８が完全に洗浄液αに浸かったとき、回転軸１６ａから注入する洗浄液αの流量を漏出孔６６からの漏れ流量とほぼ等しくなるように制御すれば、容器１９内の水位をほぼ一定の高さに維持することができる。
【００４４】
あるいは、図１３に示すように、回転軸１６ａから注入する洗浄液αの流量をそのままにして、洗浄液αを容器１９の上面から排液槽１２へ溢れさせたままにしてもよい。図１３のように洗浄液αを溢れさせ続ければ、洗浄液αが容器１９内を通過して新しい洗浄液αに入れ替わるので、被洗浄乾燥物１８の洗浄効果が高くなる。また、洗浄液αの流量制御も簡略にできる。したがって、図１３のような方式の方が好ましい。
【００４５】
一方、排液系統においては、電磁開閉バルブ５３ｂを閉じて電磁開閉バルブ５３ａを開いているので、漏出孔６６から漏れた洗浄液αや容器１９から溢れた洗浄液αは、排液口１３から回収配管５１へ排出され、さらに回収配管５２ａを通って元の洗浄液タンク２５内へただちに回収される。
【００４６】
こうして、被洗浄乾燥物１８が洗浄液αに完全に浸かると、モータ４８が起動して揺動機構部４１を駆動し、図９（ａ）〜（ｄ）に示したように、揺動ボックス１７を繰り返し揺動させる。その結果、被洗浄乾燥物１８を保持している容器１９が揺動し、容器１９内の被洗浄乾燥物１８は洗浄液α内で揺り動かされ、被洗浄乾燥物１８に付着した微細なゴミや汚れ、薬品などが濯ぎ落とされる。すなわち、容器１９を揺動させると、被洗浄乾燥物１８間に洗浄液αが流れ込み、被洗浄乾燥物１８の表面に付着したり被洗浄乾燥物１８間の隙間に入り込んだりしているゴミや汚れなどを遊離させて効果的に洗浄を行うことができる。
【００４７】
洗浄工程が終了したら、モータ４８をオフにして揺動ボックス１７を静止させる。また、給液ポンプ２６を停止させるとともに電磁開閉バルブ３６を閉じて洗浄液αの供給を停止する。洗浄液αの供給を停止すると、図１４に示すように、容器１９内の洗浄液αは底面開口６５から底部空間６４ｃへ排出され、さらに揺動ボックス１７内の洗浄液αは漏出孔６６から排液槽１２へ排出される。排液槽１２へ排出された洗浄液αは、回収配管５１、５２ａを通って元の洗浄液タンク２５へ回収される。こうして容器１９内や底部空間６４ｃ内の洗浄液αを排液槽１２へ排出し終わり、さらに排液槽１２内の洗浄液αを排出して洗浄液タンク２５へ回収し終えたら、電磁開閉バルブ５３ａを閉じる。
【００４８】
上記説明では、洗浄液タンク２５内の洗浄液によって洗浄を行う場合について述べたが、洗浄液タンク２８内の洗浄液によって洗浄を行う場合も同様である。また、洗浄液タンク２５、２８内の一方の洗浄液によって洗浄を行った後、他方の洗浄液によってさらに洗浄を行ったりして２度以上洗浄を行うことも可能である。
【００４９】
（乾燥のための機構と動作）
つぎに、洗浄乾燥装置１０における乾燥のための構造を説明する。洗浄乾燥装置１０は、吸引乾燥と温風乾燥とを行う。吸引乾燥のための機構は、図３に示すように、主として吸引ダクト５９、吸引分岐ダクト６０、回転軸１６ｂ及びブロア５５によって構成されている。吸引ダクト５９の上端は中空の回転軸１６ｂに接続されており、吸引ダクト５９の下端はトレー６１の直上に位置している。吸引ダクト５９の下端よりも若干上方からは水平方向に吸引分岐ダクト６０が分岐しており、吸引分岐ダクト６０の他端は吸引用のブロア５５に接続されている。また、吸引ダクト５９の上端部には、電磁開閉バルブ６２が設けられている。吸引ダクト５９の下端部（吸引分岐ダクト６０が分岐している部分よりも下方）には逆止弁６７が設けられている。逆止弁６７はブロア５５が稼働して上方が負圧になると閉じ、またブロア５５が停止して上方が常圧になると開くように構成されている。
【００５０】
洗浄乾燥装置１０は、図１０に示すように、温風乾燥のための電気ヒータなどの空気加熱器５６を備えている。空気加熱器５６は、下面の空気取入口から入った空気を加熱して上面の吐出口から供給するものであって、空気取入口にはフィルタを設けている。また、排液槽１２内の上部には温風吹出口５４が開口されており、空気加熱器５６の吐出口と温風吹出口５４とは温風ダクト５７によって接続されている。
【００５１】
しかして、洗浄工程の後に乾燥運転を行う場合には、吸引ダクト５９の電磁開閉バルブ６２を開いて空気加熱器５６とブロア５５を稼働させる。ブロア５５が稼働すると、吸引乾燥用空間６４ｂ内や底部空間６４ｃ内などの空気が吸引され、吸引された空気は吸引ダクト５９と吸引分岐ダクト６０を通ってブロア５５の排気ダクト５８から外部へ排気される。
【００５２】
乾燥運転開始時には、被洗浄乾燥物１８の表面は洗浄液αで濡れており、また被洗浄乾燥物１８間の隙間には表面張力によって洗浄液αが保持されている。一方、容器１９の下面周囲は弾性シート６３によって隙間が塞がれているので、底部空間６４ｃや吸引乾燥用空間６４ｂなどが負圧となると、図１５に示すように、被洗浄乾燥物１８の表面に付着していた洗浄液αや被洗浄乾燥物１８の隙間に保持されていた洗浄液αが下方へ引き抜かれ、回転軸１６ｂから吸引ダクト５９へ吸引される。ブロア５５の稼働時には逆止弁６７は閉じているので、吸引ダクト５９へ吸引された洗浄液α（微小な水分）と空気のうち、洗浄液αは慣性によって空気と分離されて吸引ダクト５９の下端部に溜まる。また、洗浄液αと分離された空気はブロア５５を通って排気ダクト５８から外部へ排出される。被洗浄乾燥物１８の表面に付着していた洗浄液や被洗浄乾燥物１８の隙間に保持されていた洗浄液は、ブロア５５の運転を開始してから後数十秒でほとんどが底面開口６５から引き抜かれて吸引ダクト５９の下端部に落ちてしまい、この現象（吸引乾燥）はブロア５５の運転開始から数十秒が経過すると終了する。
【００５３】
こうして被洗浄乾燥物１８の表面に付着していた洗浄液αや被洗浄乾燥物１８間の隙間に保持されていた洗浄液αの引き抜き（吸引乾燥）が終了したら、一旦ブロア５５を停止する。ブロア５５を停止すると逆止弁６７が開くので、吸引ダクト５９の下端部に溜まった洗浄液αはトレー６１へ排出される。洗浄液αをトレー６１へ排出し終わったら、再びブロア５５の運転を開始する。
【００５４】
一方、乾燥運転時にはブロア５５の吸引力のために温風吹出口５４から排液槽１２内に空気が吸引されているが、暖房運転開始後しだいにブロア５５のヒーター温度が上昇するので、温風吹出口５４から吹き出す温風の温度が上昇し、それに伴って排液槽１２内の温度が上昇して高温になる。ただし、熱風温度は温度センサ（図示せず）によって検知されており、ほぼ一定温度で安定するように温度制御される。この熱風温度は、被洗浄乾燥物１８の数量や形状などに応じて予め操作盤で設定することができ、通常は６０℃〜９０℃の範囲内で設定される。そして、吸引乾燥の後に回転軸１６ｂから空気が吸引されることにより、熱風が容器１９の筒体１９ａ内を上から下へと通過し、所定時間のあいだ容器１９内の被洗浄乾燥物１８が温風乾燥させられる。
【００５５】
こうして所定時間乾燥運転を行った後、空気加熱器５６をオフにして乾燥運転を終了する。乾燥運転が終了した後もしばらくはブロア５５を運転し、冷風によって被洗浄乾燥物１８を冷却させ、所定時間が経過したらブロア５５も停止し、電磁開閉バルブ６２を閉じる。
【００５６】
被洗浄乾燥物１８が乾燥したら、蓋１５を開いて容器１９の取っ手２２を掴んで容器１９を洗浄槽２４から取り出す。通常は、このとき容器１９の下面に水滴が付いていたり、濡れていたりすることが多いが、この実施形態では、吸水性を有する弾性シート６３を容器１９の下面に接触させていたので、容器１９の下面の水分は弾性シート６３によって吸収されており、取り出した容器１９の下面が濡れない。
【００５７】
このような洗浄乾燥装置１０によれば、１台の装置で被洗浄乾燥物の洗浄と乾燥を行うことができるので、従来のように洗浄装置と乾燥装置の２台の装置を必要としていたものを１台の洗浄乾燥装置で置き換えることができ、設置スペースを小さくできるとともに装置コストも安価にすることができる。また、従来のように洗浄装置で被洗浄乾燥物を洗浄した後、被洗浄乾燥物の入った容器を乾燥装置へ運ぶ必要がないので、容器を運ぶ労力や時間的なロスも必要なく、効率的に被洗浄乾燥物の洗浄と乾燥を行うことができる。
【００５８】
（第２の実施形態）
図１７は本考案の実施形態２による温水洗浄乾燥装置７１の給液系統を示す概略平面図である。この実施形態においては、液貯め槽７２の内部を仕切板７３で仕切り、その一方を洗浄液タンク２５とし、他方を洗浄液タンク２８としたものである。
【００５９】
この実施形態によれば、複数の洗浄液タンク２５、２８を一つの液貯め槽７２で構成しているので、温水洗浄乾燥装置７１をコンパクト化することができる。
【００６０】
（その他の実施形態）
なお、漏出孔６６は小さな孔であるので、ブロア５５で吸引しているときの漏出孔６６による風損は小さいが、底部空間６４ｃに水圧が加わっているときには開き、底部空間６４ｃ内が負圧になっているときには閉じるような弁（弁膜）を漏出孔６６に設ければ、漏出孔６６による風損を防ぐことができる。あるいは、漏出孔６６を開閉するための機構を設け、底部空間６４ｃ内の洗浄液αを排出するときには漏出孔６６を開口させ、ブロア５５で底部空間６４ｃ内などを負圧にするときには漏出孔６６を閉じるようにしてもよい。
【符号の説明】
【００６１】
１０、７１      洗浄乾燥装置
１１      洗浄乾燥装置本体
１２      排液槽
１６ａ、１６ｂ      回転軸
１７      揺動ボックス
１８      被洗浄乾燥物
１９      容器
２０      網体
２４      洗浄槽
２５、２８      洗浄液タンク
２６、２９      給液ポンプ
２７ａ、２７ｂ、３０ａ、３０ｂ      給液配管
４１      揺動機構部
４８      モータ
５１、５２ａ、５２ｂ      回収配管
５４      温風吹出口
５５      ブロア
５６      空気加熱器
５７      温風ダクト
５９      吸引ダクト
６０      吸引分岐ダクト
６４ａ      給水用空間
６４ｂ      吸引乾燥用空間
６４ｃ      底部空間
６５      底面開口
【図１】
0003151150.tif 000003
【図２】
0003151150.tif 000004
【図３】
0003151150.tif 000005
【図４】
0003151150.tif 000006
【図５】
0003151150.tif 000007
【図６】
0003151150.tif 000008
【図７】
0003151150.tif 000009
【図８】
0003151150.tif 000010
【図９】
0003151150.tif 000011
【図１０】
0003151150.tif 000012
【図１１】
0003151150.tif 000013
【図１２】
0003151150.tif 000014
【図１３】
0003151150.tif 000015
【図１４】
0003151150.tif 000016
【図１５】
0003151150.tif 000017
【図１６】
0003151150.tif 000018
【図１７】
0003151150.tif 000019